(57)【要約】【課題】映像表示部において映像表示の遅延が生じる場合でも、視聴者が視聴の際に感じる違和感を抑えることが可能となる映像音声復調回路を提供する。【解決手段】同期制御回路４６は、映像同期信号と音声同期信号に基づき映像信号と音声信号の出力タイミングが同じになるように、映像遅延量と音声遅延量をそれぞれ導き出し、導き出された映像遅延量を映像遅延回路４３に設定し、導き出された音声遅延量に、遅延量設定回路１２から入力された映像表示部７において生じる映像表示の遅延量を加算した音声遅延量を音声遅延回路４５に設定する。【選択図】図２
2013017106.tif 000002
【特許請求の範囲】
【請求項１】
映像データを復調して映像信号を出力する映像復調回路と、
音声データを復調して音声信号を出力する音声復調回路と、
前記映像復調回路により出力された映像信号を遅延させて映像表示部に出力する映像遅延回路と、
前記音声復調回路により出力された音声信号を遅延させて音声出力部に出力する音声遅延回路と、
映像同期信号と音声同期信号に基づき映像信号と音声信号の出力タイミングが同じになるように、映像遅延量と音声遅延量をそれぞれ導き出す同期制御回路と、を備え、
前記映像遅延回路は、前記導き出された映像遅延量を前記同期制御回路から設定され、
前記音声遅延回路は、前記導き出された音声遅延量に、遅延量設定回路から入力された前記映像表示部において生じる映像表示の遅延量及び／または当該遅延量よりも大きな遅延量を加算した音声遅延量を前記同期制御回路から設定される、ことを特徴とする映像音声復調回路。
【請求項２】
前記遅延量設定回路から入力される遅延量は、操作部の操作により可変設定されることを特徴とする請求項１に記載の映像音声復調回路。
【請求項３】
人感センサー回路によって視聴者の存在を確認された場合に、距離測定回路により測定された前記視聴者までの距離と、音速とに基づいて前記遅延量設定回路から入力される遅延量が算出され、当該算出の際、前記距離が長くなるほど前記遅延量は大きく算出されることを特徴とする請求項１に記載の映像音声復調回路。
【請求項４】
前記距離測定回路により測定された前記視聴者までの距離と、音速とに基づいて前記遅延量設定回路から入力される遅延量が算出される際に、前記映像表示部に表示される画面が大きい場合、前記音速を実際の値より大きな値とし、前記映像表示部に表示される画面が小さい場合、前記音速を実際の値より小さな値とすることを特徴とする請求項３に記載の映像音声復調回路。
【請求項５】
前記映像表示部から読み出された前記映像表示部において生じる映像表示の遅延量に基づき前記遅延量設定回路から遅延量が入力されることを特徴とする請求項１に記載の映像音声復調回路。
【請求項６】
テレビ受像機搭載用の映像音声復調回路であって、前記映像データ及び前記音声データは、搬送信号から取り出され、前記映像表示部及び前記音声出力部は、前記テレビ受像機に設けられるものである、ことを特徴とする請求項１〜請求項４のいずれかに記載の映像音声復調回路。
【請求項７】
請求項６に記載の映像音声復調回路と、受信した放送波から搬送信号を取り出す受信回路と、映像表示部と、音声出力部と、を備えたことを特徴とするテレビ受像機。
【請求項８】
テレビ受信チューナ搭載用の映像音声復調回路であって、前記映像データ及び前記音声データは、搬送信号から取り出され、前記映像表示部及び前記音声出力部は、前記テレビ受信チューナに外部接続されたテレビ受像機に設けられるものである、ことを特徴とする請求項１〜請求項５のいずれかに記載の映像音声復調回路。
【請求項９】
請求項８に記載の映像音声復調回路と、受信した放送波から搬送信号を取り出す受信回路と、を備えたことを特徴とするテレビ受信チューナ。
【請求項１０】
動画再生装置搭載用の映像音声復調回路であって、前記映像データ及び前記音声データは、再生信号から取り出され、前記映像表示部及び前記音声出力部は、前記動画再生装置に外部接続されたテレビ受像機に設けられるものである、ことを特徴とする請求項１〜請求項５のいずれかに記載の映像音声復調回路。
【請求項１１】
請求項１０に記載の映像音声復調回路と、再生信号を記録媒体から取り出す再生部と、を備えたことを特徴とする動画再生装置。
【発明の詳細な説明】
【技術分野】
【０００１】
本発明は、テレビ受像機、テレビ受信チューナ及び動画再生装置などに用いられる映像音声復調回路に関する。
【背景技術】
【０００２】
テレビ放送では、映像、音声がそれぞれカメラ、マイクロホンという別々の入力装置により信号に変換され、映像信号及び音声信号は変調されて電波として送信される。受信側のテレビ受像機では、放送波から映像信号及び音声信号を取り出し、映像信号は、アナログ方式のテレビ受像機であればブラウン管、またはデジタル方式のテレビ受像機であれば液晶ディスプレイを使って光として視聴者の視覚に届けられる。また、音声信号はスピーカから音として視聴者の聴覚に届けられる（従来のテレビ受像機としては例えば特許文献１〜５を参照）。
【０００３】
このように、テレビ放送システムにおいては、映像信号、音声信号のそれぞれは、元は同時に発生する現象であるにもかかわらず、その入力装置、出力装置、またそれぞれの方式が異なることから、相互に別々に処理されて、視聴者に届く仕組みとなっている。
【０００４】
このように送信側、受信側の双方において別々に処理される映像信号及び音声信号には互いの同期をとるための同期信号が組み込まれて送信され、受信側で映像信号及び音声信号のタイミングを合わせて出力するような仕組みが用いられるのが通常である。
【０００５】
近年普及しているデジタル方式のテレビ放送においては、放送波のデータ伝送効率を高めるために、映像信号、音声信号ともにデータ圧縮を行っているが、映像信号の方が音声信号よりもデータ量が多いため、データ圧縮に要する時間が長くなる傾向があり、デジタル方式のテレビ受像機では、放送波より同期信号を取り出して映像信号及び音声信号の同期をとることが、従来のアナログ方式のテレビ受像機に比べて重要となっている。
【０００６】
映像信号及び音声信号の同期をとるためには、復調回路において復調後の映像信号、音声信号が同時に出力されるように、復調回路内部での遅延量を調整する方法が取られている。このような方法を用いる従来の一般的なテレビ受像機のブロック図を図１７に示す。
【０００７】
図１７に示すテレビ受像機１０１は、ＲＦ受信回路１０３と、映像音声復調回路１０４と、システム制御回路１０５と、操作ボタン１０６と、映像表示部１０７と、音声処理回路１１０と、スピーカ１１１と、を備えている。ＲＦ受信回路１０３には、外部のアンテナ１０２が接続される。なお、音声処理回路とスピーカとから音声出力部が構成される。
【０００８】
テレビ受像機１０１の視聴者は、操作ボタン１０６を使って電源入切、チャンネル切換や音量調節などのテレビ受像機１０１の操作を行う。これら操作を行った結果は、操作信号として操作ボタン１０６からシステム制御回路１０５に送られる。
【０００９】
システム制御回路１０５は、各制御信号により、ＲＦ受信回路１０３、映像音声復調回路１０４、映像表示部１０７及び音声処理回路１１０をそれぞれ制御することにより、テレビ受像機１０１全体を制御する。
【００１０】
ＲＦ受信回路１０３は、アンテナ１０２で受けた電波より所望の周波数の放送波を取り出し、映像・音声のデータを含んだ搬送信号を取り出す。映像音声復調回路１０４は、上記搬送信号から映像信号及び音声信号を取り出す。
【００１１】
映像表示部１０７は、映像処理回路１０８と液晶パネル１０９とを有している。映像処理回路１０８は、映像音声復調回路１０４にて取り出された映像信号を受け取り、その映像信号に基づき液晶パネル１０９の各画素を駆動する駆動信号を生成する。液晶パネル１０９は、映像処理回路１０８が生成した駆動信号により各画素を駆動され、視聴者に対して映像を表示する。
【００１２】
音声処理回路１１０は、映像音声復調回路１０４にて取り出された音声信号を受け取り、その音声信号に基づきスピーカ１１１を駆動する駆動信号を生成する。スピーカ１１１は、音声処理回路１１０が生成した駆動信号により駆動され、音声を出力する。
【００１３】
図１７に示すテレビ受像機１０１において映像信号及び音声信号の同期をとるための仕組みを以下説明する。映像音声復調回路１０４の内部構成を示すブロック図を図１８に示す。
【００１４】
映像音声復調回路１０４は、搬送信号を受け取り、映像信号及び音声信号を出力する。映像音声復調回路１０４は、分離回路１０４１と、映像復調回路１０４２と、映像遅延回路１０４３と、音声復調回路１０４４と、音声遅延回路１０４５と、同期制御回路１０４６と、を有している。
【００１５】
分離回路１０４１は、搬送信号を映像データと音声データとに分離する。映像復調回路１０４２は、映像データを復調して映像信号を出力すると共に、映像データから映像同期信号を取り出す。映像同期信号は同期制御回路１０４６に入力される。音声復調回路１０４４は、音声データを復調して音声信号を出力すると共に、音声データから音声同期信号を取り出す。音声同期信号は同期制御回路１０４６に入力される。
【００１６】
同期制御回路１０４６は、映像同期信号と音声同期信号に基づき映像信号と音声信号の出力タイミングが同じになるように、映像遅延量と音声遅延量をそれぞれ導き出す。映像遅延量と音声遅延量は各々、映像復調回路１０４２の後段に配置された映像遅延回路１０４３と音声復調回路１０４４の後段に配置された音声遅延回路１０４５のそれぞれに導かれる。
【００１７】
映像遅延回路１０４３は、映像復調回路１０４２から出力される映像信号に映像遅延量に基づく遅延をかけて映像信号を映像処理回路１０８に出力する。音声遅延回路１０４５は、音声復調回路１０４４から出力される音声信号に音声遅延量に基づく遅延をかけて音声信号を音声処理回路１１０に出力する。
【００１８】
このような同期制御回路１０４６、映像遅延回路１０４３及び音声遅延回路１０４５の一連の動作により、送信側において設定された同期信号に基づいて、受信側で映像信号及び音声信号の出力タイミングを合わせることができる。
【先行技術文献】
【特許文献】
【００１９】
【特許文献１】特開２００５−２６０６５３号公報
【特許文献２】特開２００７−２４３５６３号公報
【特許文献３】特開平９−２４７５６４号公報
【特許文献４】特開平６−２８４４８８号公報
【特許文献５】特開平４−１３２４８７号公報
【発明の概要】
【発明が解決しようとする課題】
【００２０】
ところで、デジタル方式のテレビ受像機では、映像の表示に液晶パネルなどが使用されているが、近年では、液晶の駆動周波数を高めた２倍速表示または４倍速表示といった高機能な液晶パネルが使用される場合や、または３Ｄ表示などの新しい技術が採用された映像処理回路が使用される場合が増えてきている。
【００２１】
映像処理回路（図１７でいえば映像処理回路１０８に相当）は、入力された映像信号を液晶パネルを駆動する信号に変換しつつ液晶パネルに映像を表示させるが、上記のような高機能な液晶パネルを駆動する場合では、入力された映像信号を元に補間により元々の映像信号に存在しなかった画像を計算で求める。
【００２２】
例えば図１９は、インターレース方式の場合の映像信号を模式的に示したもので、元の映像信号では、33msecに１枚の画像が送られており、１秒間に３０コマの画像により動画を構成している。ここで映像の動きをなめらかに見せるために、上述した２倍速表示という表示方法がある。この表示方法は、送られてくる１秒間に３０コマの元の画像から、１秒間に６０コマの画像に変換することによって、２倍速表示を行うものである。
【００２３】
「１秒間に６０コマ」の画像は、１枚目と２枚目の中間に相当する、元の映像信号には存在しなかった画像を計算で求めることにより作り出される。例えば図１９において、１枚目の画像１と、その33msec 後の２枚目の画像２のデータから、これらの中間（画像１から見て16.7msec 後）に相当する画像１’を補間計算により求める。その後も同様に、中間に相当する画像を補間計算で求めて表示することにより、２倍速表示が可能となる。
【００２４】
このような補間を行った場合、画像１と、その33msec後の画像２を使って中間（画像１から見て16.7msec 後）の画像１’を計算することになるため、画像２のタイミング以降でないと画像１’は表示できない。従って、補間後の映像信号の表示は、元の映像信号に比べて最低でも16.7ms 遅れることになる。
【００２５】
また、補間計算の元になる画像の数を増やすほど、計算の精度が高くなり、補間した画像の解像度を上げることが可能になるが、計算に使う画像の枚数を増やすことは、さらに補間後の映像信号の表示が遅延する結果につながる。
【００２６】
図１７に示した従来のテレビ受像機１０１では、映像音声復調回路１０４内部（図１８）において遅延量を調整することで、復調後の映像信号、音声信号が映像音声復調回路１０４から同時に出力されるようにしているが、上記のような映像表示部１０７内部で映像表示に遅延が発生するような映像処理回路１０８を使用している場合は、スピーカ１１１から出力される音声が聴こえてから遅れて映像が見えることとなる。
【００２７】
光速のほうが音速よりも圧倒的に速いことから、通常の自然界で起きる事象では、光（映像）の方が先に到達し、音がそれよりも遅れて到達する。人は生まれた時から、映像が先に届き、音声が後から届く、という世界に存在しており、そのことを違和感なく知覚している。従って、映像表示の遅延が生じる映像処理回路１０８を用いた従来のテレビ受像機１０１を使用することにより生じる、音声が先に聴こえ、映像が後から見えるという現象に対して、視聴者は極端に違和感を感じることとなる。
【００２８】
また、特許文献１には、モニター部の映像表示とスピーカからの音声出力との同期をとるようにしたテレビ受像機が開示されているが、モニター部における映像処理回路が上記のように映像表示の遅延を生じさせるものであった場合は考慮されておらず、この場合、スピーカから出力される音声が聴こえてから遅れて映像が見えることになってしまう。従って、視聴者は極端に違和感を感じることとなる。
【００２９】
上記問題点を鑑み、本発明は、映像表示部において映像表示の遅延が生じる場合でも、視聴者が視聴の際に感じる違和感を抑えることが可能となる映像音声復調回路、及びこれを備えたテレビ受像機、テレビ受信チューナ及び動画再生装置を提供することを目的とする。
【課題を解決するための手段】
【００３０】
上記目的を達成するために本発明の映像音声復調回路は、映像データを復調して映像信号を出力する映像復調回路と、
音声データを復調して音声信号を出力する音声復調回路と、
前記映像復調回路により出力された映像信号を遅延させて映像表示部に出力する映像遅延回路と、
前記音声復調回路により出力された音声信号を遅延させて音声出力部に出力する音声遅延回路と、
映像同期信号と音声同期信号に基づき映像信号と音声信号の出力タイミングが同じになるように、映像遅延量と音声遅延量をそれぞれ導き出す同期制御回路と、を備え、
前記映像遅延回路は、前記導き出された映像遅延量を前記同期制御回路から設定され、
前記音声遅延回路は、前記導き出された音声遅延量に、遅延量設定回路から入力された前記映像表示部において生じる映像表示の遅延量及び／または当該遅延量よりも大きな遅延量を加算した音声遅延量を前記同期制御回路から設定される構成としている。
【００３１】
このような構成によれば、映像表示部において映像表示の遅延が生じる場合でも、その遅延量だけ音声信号が映像信号に比して遅延されて音声出力部に出力されるので、映像表示と音声出力とがほぼ同タイミングとなり、視聴者にとって視聴の違和感を抑えたものとすることが可能となる。また、映像表示部において映像表示の遅延が生じる遅延量よりも大きな遅延量を加算した音声遅延量を用いる場合は、音声出力が映像表示に比してより遅れるが、視聴者にとっては単に離れて視聴していると感じるだけであり、やはり違和感を抑えた視聴が可能となる。
【００３２】
また、上記構成において、前記遅延量設定回路から入力される遅延量は、操作部の操作により可変設定されてもよい。
【００３３】
また、上記構成において、人感センサー回路によって視聴者の存在を確認された場合に、距離測定回路により測定された前記視聴者までの距離と、音速とに基づいて前記遅延量設定回路から入力される遅延量が算出され、当該算出の際、前記距離が長くなるほど前記遅延量は大きく算出されてもよい。
【００３４】
また、本構成において、  前記距離測定回路により測定された前記視聴者までの距離と、音速とに基づいて前記遅延量設定回路から入力される遅延量が算出される際に、前記映像表示部に表示される画面が大きい場合、前記音速を実際の値より大きな値とし、前記映像表示部に表示される画面が小さい場合、前記音速を実際の値より小さな値としてもよい。
【００３５】
また、上記構成において、前記映像表示部から読み出された前記映像表示部において生じる映像表示の遅延量に基づき前記遅延量設定回路から遅延量が入力されるようにしてもよい。
【００３６】
また、上記いずれかの構成の映像音声復調回路は、テレビ受像機搭載用の映像音声復調回路であって、前記映像データ及び前記音声データは、搬送信号から取り出され、前記映像表示部及び前記音声出力部は、前記テレビ受像機に設けられるものであってもよい。
【００３７】
また、本発明のテレビ受像機は、本構成の映像音声復調回路と、受信した放送波から搬送信号を取り出す受信回路と、映像表示部と、音声出力部と、を備えた構成としている。
【００３８】
また、上記いずれかの構成の映像音声復調回路は、テレビ受信チューナ搭載用の映像音声復調回路であって、前記映像データ及び前記音声データは、搬送信号から取り出され、前記映像表示部及び前記音声出力部は、前記テレビ受信チューナに外部接続されたテレビ受像機に設けられるものであってもよい。
【００３９】
また、本発明のテレビ受信チューナは、本構成の映像音声復調回路と、受信した放送波から搬送信号を取り出す受信回路と、を備えた構成としている。
【００４０】
また、上記いずれかの構成の映像音声復調回路は、動画再生装置搭載用の映像音声復調回路であって、前記映像データ及び前記音声データは、再生信号から取り出され、前記映像表示部及び前記音声出力部は、前記動画再生装置に外部接続されたテレビ受像機に設けられるものであってもよい。
【００４１】
また、本発明の動画再生装置は、本構成の映像音声復調回路と、再生信号を記録媒体から取り出す再生部と、を備えた構成としている。
【発明の効果】
【００４２】
本発明によると、映像表示部において映像表示の遅延が生じる場合でも、視聴者が視聴の際に感じる違和感を抑えることが可能となる。
【図面の簡単な説明】
【００４３】
【図１】本発明の第１実施形態に係るテレビ受像機のブロック図である。
【図２】本発明の第１実施形態に係る映像音声復調回路の内部構成を示すブロック図である。
【図３】本発明の第２実施形態に係るテレビ受像機の一部構成を示すブロック図である。
【図４】本発明の第３実施形態に係るテレビ受像機の一部構成を示すブロック図である。
【図５】本発明の第１実施形態に係るテレビ受像機に外部入力端子を設けた例を示すブロック図である。
【図６】本発明の第４実施形態に係るテレビ受信チューナのブロック図である。
【図７】本発明の第４実施形態に係る映像音声復調回路の内部構成を示すブロック図である。
【図８】本発明の第５実施形態に係るテレビ受信チューナの一部構成を示すブロック図である。
【図９】本発明の第６実施形態に係るテレビ受信チューナの一部構成を示すブロック図である。
【図１０】本発明の第１実施形態に係るテレビ受像機に外部入力端子及び外部接続端子を設けた例を示すブロック図である。
【図１１】本発明の第７実施形態に係るテレビ受信チューナの一部構成を示すブロック図である。
【図１２】本発明の第８実施形態に係るＤＶＤ再生装置のブロック図である。
【図１３】本発明の第８実施形態に係る映像音声復調回路の内部構成を示すブロック図である。
【図１４】本発明の第９実施形態に係るＤＶＤ再生装置の一部構成を示すブロック図である。
【図１５】本発明の第１０実施形態に係るＤＶＤ再生装置の一部構成を示すブロック図である。
【図１６】本発明の第１１実施形態に係るＤＶＤ再生装置の一部構成を示すブロック図である。
【図１７】従来のテレビ受像機のブロック図である。
【図１８】従来のテレビ受像機における映像音声復調回路の内部構成を示すブロック図
【図１９】２倍速表示を説明するための図である。
【発明を実施するための形態】
【００４４】
以下に本発明の実施形態について図面を参照して説明する。
【００４５】
＜テレビ受像機に係る実施形態＞
（第１実施形態）
本発明の第１実施形態に係るテレビ受像機のブロック図を図１に示す。図１に示すテレビ受像機１は、ＲＦ受信回路３と、映像音声復調回路４と、システム制御回路５と、操作ボタン６と、映像処理回路８及び液晶パネル９を有した映像表示部７と、音声処理回路１０と、スピーカ１１と、遅延量設定回路１２と、を備えている。
【００４６】
テレビ受像機１の視聴者は、操作ボタン６を使用して電源入切、チャンネル切換や、音量調節などの、テレビ受像機１の操作を行う。これら操作を行った結果は、操作信号として操作ボタン６からシステム制御回路５に送られる。
【００４７】
システム制御回路５は、各制御信号により、ＲＦ受信回路３、映像音声復調回路４、映像表示部７及び音声処理回路１０をそれぞれ制御することにより、テレビ受像機１全体を制御する。
【００４８】
ＲＦ受信回路３は、アンテナ２で受けた電波より所望の周波数の放送波を取り出し、映像・音声のデータを含んだ搬送信号を取り出す。映像音声復調回路４は、上記搬送信号から映像信号と音声信号を取り出す。このとき、音声信号の出力タイミングは、遅延量設定回路１２により設定される遅延量により制御される。
【００４９】
映像表示部７における映像処理回路８は、映像音声復調回路４にて取り出された映像信号を受け取り、その映像信号に基づき液晶パネル９の各画素を駆動する駆動信号を生成する。液晶パネル９は、映像処理回路８が生成した駆動信号により各画素を駆動され、視聴者に対して映像を表示する。
【００５０】
音声処理回路１０は、映像音声復調回路４にて取り出された音声信号を受け取り、その音声信号に基づきスピーカ１１を駆動する駆動信号を生成する。スピーカ１１は、音声処理回路１０が生成した駆動信号により駆動され、音声を出力する。
【００５１】
映像音声復調回路４の内部構成を示すブロック図を図２に示す。映像音声復調回路４は、搬送信号を受け取り、映像信号及び音声信号を出力する。映像音声復調回路４は、分離回路４１と、映像復調回路４２と、映像遅延回路４３と、音声復調回路４４と、音声遅延回路４５と、同期制御回路４６と、を有している。
【００５２】
分離回路４１は、搬送信号を映像データと音声データとに分離する。映像復調回路４２は、映像データを復調して映像信号を出力すると共に、映像データから映像同期信号を取り出す。映像同期信号は同期制御回路４６に入力される。音声復調回路４４は、音声データを復調して音声信号を出力すると共に、音声データから音声同期信号を取り出す。音声同期信号は同期制御回路４６に入力される。
【００５３】
同期制御回路４６は、映像同期信号と音声同期信号に基づき映像信号と音声信号の出力タイミングが同じになるように、映像遅延量と音声遅延量をそれぞれ導き出す。
【００５４】
また、テレビ受像機１に使用される映像表示部７において生じる映像表示の遅延量が遅延量設定回路１２から同期制御回路４６に導かれる。この遅延量は、例えば上述したような映像処理回路８での画像補間処理により生じるものである。
【００５５】
同期制御回路４６から映像遅延回路４３に設定される映像遅延量は、映像同期信号と音声同期信号に基づき、映像信号と音声信号の出力タイミングが同じになるように導き出した映像遅延量そのものである。
【００５６】
一方、同期制御回路４６から音声遅延回路４５に設定される音声遅延量は、映像同期信号と音声同期信号に基づき、映像信号と音声信号の出力タイミングが同じになるように導き出した音声遅延量に、遅延量設定回路１２から入力された遅延量を加算した値である。
【００５７】
これにより、音声復調回路４４から音声遅延回路４５を介して出力される音声信号は、映像復調回路４２から映像遅延回路４３を介して出力される映像信号に比べて、遅延量設定回路１２から入力された遅延量だけ遅れて出力されることになる。しかし、遅延量設定回路１２から入力された遅延量は、映像表示部７において生じる映像表示の遅延量そのものであり、映像表示部７（液晶パネル９）にて表示される映像と、音声処理回路１０を介してスピーカ１１から出力される音声のタイミングはほぼ同じタイミングとなる。
【００５８】
従って、本実施形態においては、映像表示の遅延量の大きな映像表示部７を使用した場合でも、音声信号の出力を映像表示部７で生じる遅延量だけ遅らせることによって、映像表示と音声出力の同期をとり、映像音声を違和感なく視聴可能とする。
【００５９】
また、遅延量設定回路１２から同期制御回路４６に入力させる遅延量を、テレビ受像機１に使用される映像表示部７において生じる映像表示の遅延量よりも大きな遅延量としてもよい。
【００６０】
このようにした場合、音声遅延回路４５から出力される音声信号は、映像遅延回路４３から出力される映像信号よりもさらに遅れて出力されることとなり、音声処理回路１０を介したスピーカ１１からの音声出力が映像表示部７での映像表示に比してさらに遅れる結果となる。
【００６１】
通常の自然界で起きる事象は、光（映像）の方が先に到達し、音がそれよりも遅れて到達する。例えば、常温での音速を約340m/sec、光速を約3x108m/sec として計算すると、ある事象が起きて、3.4m 離れたところでその事象を見た人の耳には、音は10msec 遅れて届いていることになる。人にとって、映像が先に届き、音声が後から届くことは自然なことであって、距離の離れたところで起こっている事象であれば、映像と音の到達時間差が大きくなることを人は経験的に知覚している。
【００６２】
従って、映像表示部７での映像表示に比したスピーカ１１からの音声出力の遅延量が大きいということは、視聴者にとってみれば、単に「少し離れて見ている」と錯覚するだけであり、非常に自然な視聴と受け取ることが可能となる。
【００６３】
（第２実施形態）
上記第１実施形態の変形例としての第２実施形態に係るテレビ受像機の一部構成を示すブロック図を図３に示す。本実施形態では、音声遅延回路４５’に設定する音声遅延量を、操作ボタン６’及びシステム制御回路５’経由で視聴者が外部から設定可能としている。
【００６４】
操作ボタン６’が操作されると、操作信号がシステム制御回路５’に送られ、システム制御回路５’は送られた操作信号に応じた遅延量を遅延量設定回路１２’に通知する。遅延量設定回路１２’は、通知された遅延量を同期制御回路４６’に入力させる。ここで、遅延量は、映像表示部７’において生じる映像表示の遅延量以上の値とする。
【００６５】
例えば、複数の操作ボタン６’のそれぞれに異なった遅延量が割り当てられ、操作された操作ボタン６’に応じた遅延量がシステム制御回路５’から遅延量設定回路１２’に通知されるようにすればよい。または、例えば操作ボタン６’を上下キーとして構成し、操作ボタン６’が押されるたびに遅延量を増加または減少させるようにしてもよい。
【００６６】
同期制御回路４６’により映像遅延回路４３’に設定される映像遅延量は、映像同期信号と音声同期信号に基づき、映像信号と音声信号の出力タイミングが同じになるように導き出した映像遅延量そのものである。
【００６７】
一方、同期制御回路４６’から音声遅延回路４５’に設定される音声遅延量は、映像同期信号と音声同期信号に基づき、映像信号と音声信号の出力タイミングが同じになるように導き出した音声遅延量に、遅延量設定回路１２’から入力された遅延量を加算した値である。
【００６８】
これにより、音声復調回路４４’から音声遅延回路４５’を介して出力される音声信号は、映像復調回路４２’から映像遅延回路４３’を介して出力される映像信号に比べて、遅延量設定回路１２’から入力された遅延量だけ遅れて出力される。遅延量設定回路１２’から入力された遅延量は、視聴者が操作ボタン６’を操作して設定したものであり、映像表示部７’において生じる映像表示の遅延量以上の値である。従って、映像表示部７’での映像表示と音声処理回路１０’を介したスピーカ１１’からの音声出力がほぼ同タイミングとなる、もしくは音声出力が遅れるという結果となり、映像音声を違和感なく、且つ視聴者が所望する距離感で視聴可能とする。
【００６９】
（第３実施形態）
上記第２実施形態の変形例としての第３実施形態に係るテレビ受像機の一部構成を示すブロック図を図４に示す。本実施形態に係るテレビ受像機では、人感センサー回路１３と距離測定回路１４を設け、音声遅延回路４５’’に設定する遅延量を人感センサー回路１３及び距離測定回路１４の検出結果に基づいて可変設定する。
【００７０】
システム制御回路５’’は、人感センサー回路１３の感知信号に基づき、「視聴者が存在する」と判断した場合に、距離測定回路１４が検出した距離データに基づき、テレビ受像機と視聴者の距離を取得する。システム制御回路５’’は、取得した距離に基づき、遅延量設定回路１２’’を介して同期制御回路４６’’に設定する遅延量を計算する。
【００７１】
例えば、テレビ受像機と視聴者の距離に対する音の伝達所要時間を音速に基づき計算し、計算された伝達所要時間に映像表示部７’’において生じる映像表示の遅延量を加算した値を同期制御回路４６’’に設定する遅延量とする。
【００７２】
具体的には例えば、距離データから得られたテレビ受像機と視聴者の距離が 10m であった場合、音が 10m を伝達する所要時間を 10(m) / 340 (m/s)= 29.4msec と計算し、映像表示部７’’において生じる映像表示の遅延量にこの値を加算して遅延量を求める。
【００７３】
同期制御回路４６’’により映像遅延回路４３’’に設定される映像遅延量は、映像同期信号と音声同期信号に基づき、映像信号と音声信号の出力タイミングが同じになるように導き出した映像遅延量そのものである。
【００７４】
一方、同期制御回路４６’’から音声遅延回路４５’’に設定される音声遅延量は、映像同期信号と音声同期信号に基づき、映像信号と音声信号の出力タイミングが同じになるように導き出した音声遅延量に、システム制御回路５’’より遅延量設定回路１２’を介して入力された遅延量を加算した値である。
【００７５】
これにより、音声復調回路４４’’から音声遅延回路４５’’を介して出力される音声信号は、映像復調回路４２’’から映像遅延回路４３’’を介して出力される映像信号に比べて、遅延量設定回路１２’から入力された遅延量だけ遅れて出力される。遅延量設定回路１２’から入力された遅延量は、例えば音の伝達所要時間に映像表示部７’’において生じる映像表示の遅延量を加算した値である。
【００７６】
従って、音声処理回路１０’を介したスピーカ１１’からの音声出力は、映像表示部７’’での映像表示に比して、テレビ受像機と視聴者の距離に応じた遅延量だけ遅れることとなる。これにより、視聴者がテレビ受像機を離れて見ているときは、音がより遅れて聴こえ、近くでテレビ受像機を見ているときは、音の遅れはそれほど大きくない、という結果となり、視聴者としては、離れて見ている、近くで観ている、という錯覚をより強く知覚することができる。
【００７７】
なお、本実施形態において、遅延量の計算に表示画面の大きさを考慮することも可能である。操作ボタン６’’から設定する設定項目として「画面大」「画面小」を設けておき、「画面大」が選択された場合は、音速を実際の値よりも大きめの値として音の伝達所要時間を計算することで遅延量を求める。一方、「画面小」が選択された場合は、音速を実際の値よりも小さめの値として音の伝達所要時間を計算することで遅延量を求める。
【００７８】
「画面大」が選択された場合は、音はそれほど遅れて聴こえない結果となり、視聴者は近くで見ているという感覚を得やすくなる。一方、「画面小」が選択された場合は、音はより遅れて聴こえる結果となり、視聴者は遠くで見ているという感覚を得やすくなる。
【００７９】
＜テレビ受信チューナに係る実施形態＞
図５のように、上記第１実施形態に係るテレビ受像機１（図１）が外部入力端子１５を備えていて（テレビ受像機１’とする）、外部入力端子１５に接続された外部機器１６から入力される映像信号及び音声信号が映像・音声同時タイミングを前提としたものであった場合は、映像表示部７による映像表示遅延に対する音声のタイミング補正を働かせることができない。つまり、スピーカ１１からの音声出力に遅れて映像が表示され、視聴者が極端に違和感を感じることとなる。そこで、テレビ受像機ではなく、外部機器１６側にも音声遅延を設定する仕組みを設けることが考えられる。ここでは、外部機器１６として、テレビ受信チューナを使用する場合の実施形態について説明する。
【００８０】
（第４実施形態）
本発明の第４実施形態に係るテレビ受信チューナのブロック図を図６に示す。図６に示すテレビ受信チューナ１７は、ＲＦ受信回路１９と、映像音声復調回路２０と、システム制御回路２１と、操作ボタン２２と、遅延量設定回路２３と、を備えている。
【００８１】
テレビ受信チューナ１７を使用して視聴する視聴者は、操作ボタン２２を使用して電源入切、チャンネル切換などの、テレビ受信チューナ１７の操作を行う。これら操作を行った結果は、操作信号として操作ボタン２２からシステム制御回路２１に送られる。
【００８２】
システム制御回路２１は、各制御信号により、ＲＦ受信回路１９及び映像音声復調回路２０をそれぞれ制御することにより、テレビ受信チューナ１７全体を制御する。
【００８３】
ＲＦ受信回路１９は、アンテナ１８で受けた電波より所望の周波数の放送波を取り出し、映像・音声のデータを含んだ搬送信号を取り出す。映像音声復調回路２０は、上記搬送信号から映像信号と音声信号を取り出す。このとき、音声信号の出力タイミングは、遅延量設定回路２３により設定される遅延量により制御される。
【００８４】
映像音声復調回路２０から出力される映像信号及び音声信号は、テレビ受像機１’（図５）の外部入力端子１５に入力される。映像表示部７における映像処理回路８は、外部入力端子１５から映像信号を受け取り、その映像信号に基づき液晶パネル９の各画素を駆動する駆動信号を生成する。液晶パネル９は、映像処理回路８が生成した駆動信号により各画素を駆動され、視聴者に対して映像を表示する。
【００８５】
音声処理回路１０は、外部入力端子１５から音声信号を受け取り、その音声信号に基づきスピーカ１１を駆動する駆動信号を生成する。スピーカ１１は、音声処理回路１０が生成した駆動信号により駆動され、音声を出力する。
【００８６】
映像音声復調回路２０の内部構成を示すブロック図を図７に示す。映像音声復調回路２０は、搬送信号を受け取り、映像信号及び音声信号を出力する。映像音声復調回路２０は、分離回路２０１と、映像復調回路２０２と、映像遅延回路２０３と、音声復調回路２０４と、音声遅延回路２０５と、同期制御回路２０６と、を有している。
【００８７】
分離回路２０１は、搬送信号を映像データと音声データとに分離する。映像復調回路２０２は、映像データを復調して映像信号を出力すると共に、映像データから映像同期信号を取り出す。映像同期信号は同期制御回路２０６に入力される。音声復調回路２０４は、音声データを復調して音声信号を出力すると共に、音声データから音声同期信号を取り出す。音声同期信号は同期制御回路２０６に入力される。
【００８８】
同期制御回路２０６は、映像同期信号と音声同期信号に基づき映像信号と音声信号の出力タイミングが同じになるように、映像遅延量と音声遅延量をそれぞれ導き出す。
【００８９】
また、テレビ受像機１’（図５）に使用される映像表示部７において生じる映像表示の遅延量が遅延量設定回路２３から同期制御回路２０６に導かれる。この遅延量は、例えば上述したような映像処理回路８での画像補間処理により生じるものである。
【００９０】
同期制御回路２０６から映像遅延回路２０３に設定される映像遅延量は、映像同期信号と音声同期信号に基づき、映像信号と音声信号の出力タイミングが同じになるように導き出した映像遅延量そのものである。
【００９１】
一方、同期制御回路２０６から音声遅延回路２０５に設定される音声遅延量は、映像同期信号と音声同期信号に基づき、映像信号と音声信号の出力タイミングが同じになるように導き出した音声遅延量に、遅延量設定回路２３から入力された遅延量を加算した値である。
【００９２】
これにより、音声復調回路２０４から音声遅延回路２０５を介して出力される音声信号は、映像復調回路２０２から映像遅延回路２０３を介して出力される映像信号に比べて、遅延量設定回路２３から入力された遅延量だけ遅れて出力されることになる。しかし、遅延量設定回路２３から入力された遅延量は、映像表示部７（図５）において生じる映像表示の遅延量そのものであり、映像表示部７（液晶パネル９）にて表示される映像と、音声処理回路１０を介してスピーカ１１から出力される音声のタイミングはほぼ同じタイミングとなる。
【００９３】
従って、本実施形態においては、テレビ受信チューナ１７の接続先であるテレビ受像機１’（図５）において映像表示の遅延量の大きな映像表示部７を使用した場合でも、音声信号の出力を映像表示部７で生じる遅延量だけ遅らせることによって、映像表示と音声出力の同期をとり、映像音声を違和感なく視聴可能とする。
【００９４】
ところで、本実施形態に係るテレビ受信チューナ１７に接続されるテレビ受像機１’（図５）は、１種類とは限らず、どのようなテレビ受像機が接続されるかは分からない。さらに、テレビ受像機１’の映像表示部７で生じる映像表示の遅延量はテレビ受像機個々によって異なる。そこで、遅延量設定回路２３により設定する遅延量は、或る程度大きな値としておくことが考えられる。例えば、テレビ受信チューナ１７に接続されることが想定される各種のテレビ受像機１’のうち最も映像表示部７で生じる映像表示の遅延量が大きなテレビ受像機１’での映像表示の遅延量を、遅延量設定回路２３により設定する遅延量とすればよい。
【００９５】
これにより、映像表示部７での映像表示の遅延量が遅延量設定回路２３により設定される遅延量よりも小さいテレビ受像機１’がテレビ受信チューナ１７に接続された場合は、スピーカ１１からの音声出力が映像表示部７での映像表示に比して遅れる結果となるが、視聴者からすれば、単に「離れて映像を見ている」と錯覚するだけであり、違和感を感じることはない。
【００９６】
（第５実施形態）
上記第４実施形態の変形例としての第５実施形態に係るテレビ受信チューナの一部構成を示すブロック図を図８に示す。本実施形態では、音声遅延回路２０５’に設定する音声遅延量を、操作ボタン２２’及びシステム制御回路２１’経由で視聴者が外部から設定可能としている。詳細については先に説明した第２実施形態と同様であるので、ここでは詳述を省く。本実施形態によれば、テレビ受信チューナに接続されたテレビ受像機１’（図５）において、映像表示部７での映像表示とスピーカ１１からの音声出力がほぼ同タイミングとなる、もしくは音声出力が遅れるという結果となり、映像音声を違和感なく、且つ視聴者が所望する距離感で視聴可能とする。
【００９７】
（第６実施形態）
上記第５実施形態の変形例としての第６実施形態に係るテレビ受信チューナの一部構成を示すブロック図を図９に示す。本実施形態に係るテレビ受信チューナでは、人感センサー回路２４と距離測定回路２５を設け、音声遅延回路２０５’’に設定する遅延量を人感センサー回路２４及び距離測定回路２５の検出結果に基づいて可変設定する。詳細については先に説明した第３実施形態と同様であるので、ここでは詳述を省く。本実施形態によれば、テレビ受信チューナに接続されたテレビ受像機１’（図５）において、音声処理回路１０を介したスピーカ１１からの音声出力は、映像表示部７での映像表示に比して、テレビ受信チューナと視聴者の距離に応じた遅延量だけ遅れることとなる。これにより、視聴者がテレビ受像機を離れて見ているときは、音がより遅れて聴こえ、近くでテレビ受像機を見ているときは、音の遅れはそれほど大きくない、という結果となり、視聴者としては、離れて見ている、近くで観ている、という錯覚をより強く知覚することができる。
【００９８】
なお、本実施形態において、遅延量の計算に表示画面の大きさを考慮することも可能である。テレビ受信チューナに接続されるテレビ受像機１’（図５）の表示画面の大きさを操作ボタン２２’’により選択可能とし、表示画面の大小に応じて異なる遅延量を設定する。詳細については先に説明した第３実施形態と同様であるので、詳述は省く。「画面大」が選択された場合は、テレビ受信チューナに接続されたテレビ受信機１’において、映像表示部７に表示される画面が大きめとなり、音はそれほど遅れて聴こえない結果となり、視聴者は近くで見ているという感覚を得やすくなる。一方、「画面小」が選択された場合は、映像表示部７に表示される画面が小さめとなり、音はより遅れて聴こえる結果となり、視聴者は遠くで見ているという感覚を得やすくなる。
【００９９】
（第７実施形態）
上記第４実施形態で述べたように、テレビ受信チューナ１７（図６）に接続するテレビ受像機１’（図５）は１種類とは限らず、どのようなテレビ受像機が接続されるかは分からない。さらに、テレビ受像機で生じる映像表示の遅延量は、テレビ受像機個々によって異なる。
【０１００】
そこで、図１０に示すように、テレビ受像機１’’の映像表示部７において生じる映像表示の遅延量を外部機器１６’（テレビ受信チューナ等）が読み出せるようテレビ受像機１’’に外部接続端子１５１を設け、外部機器１６’が映像表示部７における映像表示の遅延量を外部接続端子１５１を介して映像表示部７から読み出すことが考えられる。
【０１０１】
ここで、外部機器１６’の一例としての第７実施形態に係るテレビ受信チューナの一部構成を示すブロック図を図１１に示す。本実施形態に係るテレビ受信チューナの構成は、基本的には上記第４実施形態に係るテレビ受信チューナ（図６、図７）と同様の構成としているが、異なる点は遅延量読み出し回路２６を設けていることである。
【０１０２】
遅延量読み出し回路２６は、テレビ受像機１’’（図１０）の映像表示部７から外部接続端子１５１を介して映像表示部７における映像表示の遅延量を読み出し、読み出した遅延量を遅延量設定回路２３’’’を介して同期制御回路２０６’’’に設定する。
【０１０３】
同期制御回路２０６’’’から映像遅延回路２０３’’’に設定される映像遅延量は、映像同期信号と音声同期信号に基づき、映像信号と音声信号の出力タイミングが同じになるように導き出した映像遅延量そのものである。
【０１０４】
一方、同期制御回路２０６’’’から音声遅延回路２０５’’’に設定される音声遅延量は、映像同期信号と音声同期信号に基づき、映像信号と音声信号の出力タイミングが同じになるように導き出した音声遅延量に、遅延量設定回路２３’’’から入力された遅延量を加算した値である。
【０１０５】
これにより、音声復調回路２０４’’’から音声遅延回路２０５’’’を介して出力される音声信号は、映像復調回路２０２’’’から映像遅延回路２０３’’’を介して出力される映像信号に比べて、遅延量設定回路２３’’’から入力された遅延量だけ遅れて出力される。遅延量設定回路２３’’’から入力された遅延量は、読み出した映像表示部７における映像表示の遅延量である。従って、テレビ受像機１’’（図１０）において、音声処理回路１０を介したスピーカ１１からの音声出力は、映像表示部７での映像表示とほぼ同タイミングとなる。
【０１０６】
結果として、視聴者は、映像と音声の同期がとれた状態で視聴が可能となる。また、本実施形態に係るテレビ受信チューナに、映像表示部７での映像表示の遅延量が異なるどのようなテレビ受像機１’’を接続したとしても、常に映像と音声の同期がとれた状態での視聴が可能となる。
【０１０７】
＜動画再生装置に係る実施形態＞
（第８実施形態）
ここでは、テレビ受像機１’に接続される外部機器１６（図５）として、動画再生装置の一例であるＤＶＤ再生装置を使用する場合の実施形態について説明する。
【０１０８】
本発明の第８実施形態に係るＤＶＤ再生装置のブロック図を図１２に示す。図１２に示すＤＶＤ再生装置２７は、光ピックアップ２９を有した光ディスク駆動機構２８と、映像音声復調回路３０と、システム制御回路３１と、操作ボタン３２と、遅延量設定回路３３と、を備えている。
【０１０９】
ＤＶＤ再生装置２７による再生映像音声を視聴する視聴者は、操作ボタン３２を使用して電源入切、再生、再生停止などのＤＶＤ再生装置２７の操作を行う。これら操作を行った結果は、操作信号として操作ボタン３２からシステム制御回路３１に送られる。
【０１１０】
システム制御回路３１は、各制御信号により、光ディスク駆動機構２８及び映像音声復調回路３０をそれぞれ制御することにより、ＤＶＤ再生装置２７全体を制御する。
【０１１１】
光ディスク駆動機構２８は、光ピックアップ２９で光ディスク（ＤＶＤ）に記録された信号を読み出し、映像・音声のデータを含んだ再生信号を取り出す。映像音声復調回路３０は、上記再生信号から映像信号と音声信号を取り出す。このとき、音声信号の出力タイミングは、遅延量設定回路３３により設定される遅延量により制御される。
【０１１２】
映像音声復調回路３０から出力される映像信号及び音声信号は、テレビ受像機１’（図５）の外部入力端子１５に入力される。映像表示部７における映像処理回路８は、外部入力端子１５から映像信号を受け取り、その映像信号に基づき液晶パネル９の各画素を駆動する駆動信号を生成する。液晶パネル９は、映像処理回路８が生成した駆動信号により各画素を駆動され、視聴者に対して映像を表示する。
【０１１３】
音声処理回路１０は、外部入力端子１５から音声信号を受け取り、その音声信号に基づきスピーカ１１を駆動する駆動信号を生成する。スピーカ１１は、音声処理回路１０が生成した駆動信号により駆動され、音声を出力する。
【０１１４】
映像音声復調回路３０の内部構成を示すブロック図を図１３に示す。映像音声復調回路３０は、再生信号を受け取り、映像信号及び音声信号を出力する。映像音声復調回路３０は、分離回路３０１と、映像復調回路３０２と、映像遅延回路３０３と、音声復調回路３０４と、音声遅延回路３０５と、同期制御回路３０６と、を有している。
【０１１５】
分離回路３０１は、再生信号を映像データと音声データとに分離する。映像復調回路３０２は、映像データを復調して映像信号を出力すると共に、映像データから映像同期信号を取り出す。映像同期信号は同期制御回路３０６に入力される。音声復調回路３０４は、音声データを復調して音声信号を出力すると共に、音声データから音声同期信号を取り出す。音声同期信号は同期制御回路３０６に入力される。
【０１１６】
同期制御回路３０６は、映像同期信号と音声同期信号に基づき映像信号と音声信号の出力タイミングが同じになるように、映像遅延量と音声遅延量をそれぞれ導き出す。
【０１１７】
また、テレビ受像機１’（図５）に使用される映像表示部７において生じる映像表示の遅延量が遅延量設定回路３３から同期制御回路３０６に導かれる。この遅延量は、例えば上述したような映像処理回路８での画像補間処理により生じるものである。
【０１１８】
同期制御回路３０６から映像遅延回路３０３に設定される映像遅延量は、映像同期信号と音声同期信号に基づき、映像信号と音声信号の出力タイミングが同じになるように導き出した映像遅延量そのものである。
【０１１９】
一方、同期制御回路３０６から音声遅延回路３０５に設定される音声遅延量は、映像同期信号と音声同期信号に基づき、映像信号と音声信号の出力タイミングが同じになるように導き出した音声遅延量に、遅延量設定回路３３から入力された遅延量を加算した値である。
【０１２０】
これにより、音声復調回路３０４から音声遅延回路３０５を介して出力される音声信号は、映像復調回路３０２から映像遅延回路３０３を介して出力される映像信号に比べて、遅延量設定回路３３から入力された遅延量だけ遅れて出力されることになる。しかし、遅延量設定回路３３から入力された遅延量は、映像表示部７（図５）において生じる映像表示の遅延量そのものであり、映像表示部７（液晶パネル９）にて表示される映像と、音声処理回路１０を介してスピーカ１１から出力される音声のタイミングはほぼ同じタイミングとなる。
【０１２１】
従って、本実施形態においては、ＤＶＤ再生装置２７の接続先であるテレビ受像機１’（図５）において映像表示の遅延量の大きな映像表示部７を使用した場合でも、音声信号の出力を映像表示部７で生じる遅延量だけ遅らせることによって、映像表示と音声出力の同期をとり、映像音声を違和感なく視聴可能とする。
【０１２２】
ところで、本実施形態に係るＤＶＤ再生装置２７に接続されるテレビ受像機１’（図５）は、１種類とは限らず、どのようなテレビ受像機が接続されるかは分からない。さらに、テレビ受像機１’の映像表示部７で生じる映像表示の遅延量はテレビ受像機個々によって異なる。そこで、遅延量設定回路３３により設定する遅延量は、或る程度大きな値としておくことが考えられる。例えば、ＤＶＤ再生装置２７に接続されることが想定される各種のテレビ受像機１’のうち最も映像表示部７で生じる映像表示の遅延量が大きなテレビ受像機１’での映像表示の遅延量を、遅延量設定回路３３により設定する遅延量とすればよい。
【０１２３】
これにより、映像表示部７での映像表示の遅延量が遅延量設定回路３３により設定される遅延量よりも小さいテレビ受像機１’がＤＶＤ再生装置２７に接続された場合は、スピーカ１１からの音声出力が映像表示部７での映像表示に比して遅れる結果となるが、視聴者からすれば、単に「離れて映像を見ている」と錯覚するだけであり、違和感を感じることはない。
【０１２４】
（第９実施形態）
上記第８実施形態の変形例としての第９実施形態に係るＤＶＤ再生装置の一部構成を示すブロック図を図１４に示す。本実施形態では、音声遅延回路３０５’に設定する音声遅延量を、操作ボタン３２’及びシステム制御回路３１’経由で視聴者が外部から設定可能としている。詳細については先に説明した第２実施形態と同様であるので、ここでは詳述を省く。本実施形態によれば、ＤＶＤ再生装置に接続されたテレビ受像機１’（図５）において、映像表示部７での映像表示とスピーカ１１からの音声出力がほぼ同タイミングとなる、もしくは音声出力が遅れるという結果となり、映像音声を違和感なく、且つ視聴者が所望する距離感で視聴可能とする。
【０１２５】
（第１０実施形態）
上記第９実施形態の変形例としての第１０実施形態に係るＤＶＤ再生装置の一部構成を示すブロック図を図１５に示す。本実施形態に係るＤＶＤ再生装置では、人感センサー回路３４と距離測定回路３５を設け、音声遅延回路３０５’’に設定する遅延量を人感センサー回路３４及び距離測定回路３５の検出結果に基づいて可変設定する。詳細については先に説明した第３実施形態と同様であるので、ここでは詳述を省く。本実施形態によれば、ＤＶＤ再生装置に接続されたテレビ受像機１’（図５）において、音声処理回路１０を介したスピーカ１１からの音声出力は、映像表示部７での映像表示に比して、ＤＶＤ再生装置と視聴者の距離に応じた遅延量だけ遅れることとなる。これにより、視聴者がテレビ受像機を離れて見ているときは、音がより遅れて聴こえ、近くでテレビ受像機を見ているときは、音の遅れはそれほど大きくない、という結果となり、視聴者としては、離れて見ている、近くで観ている、という錯覚をより強く知覚することができる。
【０１２６】
なお、本実施形態において、遅延量の計算に表示画面の大きさを考慮することも可能である。ＤＶＤ再生装置に接続されるテレビ受像機１’（図５）の表示画面の大きさを操作ボタン３２’’により選択可能とし、表示画面の大小に応じて異なる遅延量を設定する。詳細については先に説明した第３実施形態と同様であるので、詳述は省く。「画面大」が選択された場合は、音はそれほど遅れて聴こえない結果となり、視聴者は近くで見ているという感覚を得やすくなる。一方、「画面小」が選択された場合は、音はより遅れて聴こえる結果となり、視聴者は遠くで見ているという感覚を得やすくなる。
【０１２７】
（第１１実施形態）
ここでは、上述した外部機器１６’（図１０）の一例としての第１１実施形態に係るＤＶＤ再生装置の一部構成を示すブロック図を図１６に示す。本実施形態に係るＤＶＤ再生装置の構成は、基本的には上記第８実施形態に係るＤＶＤ再生装置（図１２、図１３）と同様の構成としているが、異なる点は遅延量読み出し回路３６を設けていることである。
【０１２８】
遅延量読み出し回路３６は、テレビ受像機１’’（図１０）の映像表示部７から外部接続端子１５１を介して映像表示部７における映像表示の遅延量を読み出し、読み出した遅延量を遅延量設定回路３３’’’を介して同期制御回路３０６’’’に設定する。
【０１２９】
同期制御回路３０６’’’から映像遅延回路３０３’’’に設定される映像遅延量は、映像同期信号と音声同期信号に基づき、映像信号と音声信号の出力タイミングが同じになるように導き出した映像遅延量そのものである。
【０１３０】
一方、同期制御回路３０６’’’から音声遅延回路３０５’’’に設定される音声遅延量は、映像同期信号と音声同期信号に基づき、映像信号と音声信号の出力タイミングが同じになるように導き出した音声遅延量に、遅延量設定回路３３’’’から入力された遅延量を加算した値である。
【０１３１】
これにより、音声復調回路３０４’’’から音声遅延回路３０５’’’を介して出力される音声信号は、映像復調回路３０２’’’から映像遅延回路３０３’’’を介して出力される映像信号に比べて、遅延量設定回路３３’’’から入力された遅延量だけ遅れて出力される。遅延量設定回路３３’’’から入力された遅延量は、読み出した映像表示部７における映像表示の遅延量である。従って、テレビ受像機１’’（図１０）において、音声処理回路１０を介したスピーカ１１からの音声出力は、映像表示部７での映像表示とほぼ同タイミングとなる。
【０１３２】
結果として、視聴者は、映像と音声の同期がとれた状態で視聴が可能となる。また、本実施形態に係るＤＶＤ再生装置に、映像表示部７での映像表示の遅延量が異なるどのようなテレビ受像機１’’を接続したとしても、常に映像と音声の同期がとれた状態での視聴が可能となる。
【０１３３】
なお、上記各実施形態では、動画再生装置としてＤＶＤ再生装置を一例に挙げたが、動画再生装置としてはブルーレイディスク再生装置であってもよいし、録画機能を備えた録画再生装置であっても構わない。
【０１３４】
以上、本発明の実施形態について説明したが、本発明の趣旨の範囲内であれば、実施形態は種々変形が可能である。
【符号の説明】
【０１３５】
１    テレビ受像機
２    アンテナ
３    ＲＦ受信回路
４    映像音声復調回路
５    システム制御回路
６    操作ボタン
７    映像表示部
８    映像処理回路
９    液晶パネル
１０    音声処理回路
１１    スピーカ
１２    遅延量設定回路
１３    人感センサー回路
１４    距離測定回路
１５    外部入力端子
１６    外部機器
１７    テレビ受信チューナ
１８    アンテナ
１９    ＲＦ受信回路
２０    映像音声復調回路
２１    システム制御回路
２２    操作ボタン
２３    遅延量設定回路
２４    人感センサー回路
２５    距離測定回路
２６    遅延量読み出し回路
２７    ＤＶＤ再生装置
２８    光ディスク駆動機構
２９    光ピックアップ
３０    映像音声復調回路
３１    システム制御回路
３２    操作ボタン
３３    遅延量設定回路
３４    人感センサー回路
３５    距離測定回路
３６    遅延量読み出し回路
１５１    外部接続端子
【図１】
2013017106.tif 000003
【図２】
2013017106.tif 000004
【図３】
2013017106.tif 000005
【図４】
2013017106.tif 000006
【図５】
2013017106.tif 000007
【図６】
2013017106.tif 000008
【図７】
2013017106.tif 000009
【図８】
2013017106.tif 000010
【図９】
2013017106.tif 000011
【図１０】
2013017106.tif 000012
【図１１】
2013017106.tif 000013
【図１２】
2013017106.tif 000014
【図１３】
2013017106.tif 000015
【図１４】
2013017106.tif 000016
【図１５】
2013017106.tif 000017
【図１６】
2013017106.tif 000018
【図１７】
2013017106.tif 000019
【図１８】
2013017106.tif 000020
【図１９】
2013017106.tif 000021